(57)【要約】【課題】操作ボタン部の操作に対応して表示素子により表示する洗濯機等の操作表示装置において、パネルシートを貼り付けた後でも、パネルシートの表面がでこぼこに見えたりすることがなく、視認性を向上するとともに、金型設計や加工性を向上する。【解決手段】操作ボタン部２８と表示窓３３とを有する操作パネル部１８の上面をパネルシート２０により覆い、操作パネル部１８の内方に操作ボタン部２８に対応した位置に設けたスイッチ３１と表示窓３３に対応した位置に設けた表示素子３２とを有する制御装置３０を配する。操作パネル部１８に複数の表示窓３３より表示素子３２にそれぞれ対応した光拡散部３４を設ける。【選択図】　図１
2004073706.tif 000002
【特許請求の範囲】
【請求項１】
操作ボタン部と表示窓とを有する操作パネル部と、この操作パネル部の上面を覆うパネルシートと、前記操作パネル部の内方に配し前記操作ボタン部に対応した位置に設けたスイッチと前記表示窓に対応した位置に設けた表示素子とを有する制御装置とを備え、前記操作パネル部に複数の表示窓より表示素子にそれぞれ対応した光拡散部を設けた洗濯機等の操作表示装置。
【請求項２】
光拡散部は、表示素子側から操作パネル部の表面側に向けて開口面積を漸次拡大した請求項１記載の洗濯機等の操作表示装置。
【請求項３】
光拡散部は、相互に露光しない構成とした請求項１または２記載の洗濯機等の操作表示装置。
【請求項４】
光拡散部は、操作パネル部と一体成形した請求項１〜３のいずれか１項に記載の洗濯機等の操作表示装置。
【請求項５】
光拡散部は、非透光材料にて形成した請求項１〜４のいずれか１項に記載の洗濯機等の操作表示装置。
【請求項６】
複数の表示素子は、それぞれの位置を規制部材で規制した請求項１〜５のいずれか１項に記載の洗濯機等の操作表示装置。
【請求項７】
規制部材は、表示素子が位置する複数の穴を有する板材よりなる請求項６記載の洗濯機等の操作表示装置。
【発明の詳細な説明】
【０００１】
【発明の属する技術分野】
本発明は、操作ボタン部の操作に対応して表示素子により表示する洗濯機等の操作表示装置に関するものである。
【０００２】
【従来の技術】
従来、この種の洗濯機等の操作表示装置は、図５〜図７に示すように構成していた。以下、その構成について説明する。
【０００３】
図５に示すように、操作パネル部１は、洗濯槽（図示せず）を開閉自在に覆う蓋２を取り付けており、この操作パネル部１の上面にパネルシート３を設けている。このパネルシート３に操作部４、５、コース表示部６などを設けている。操作部４は洗濯動作を開始するとき操作するものであり、操作部５は所定の運転コースを選択するとき操作するものである。
【０００４】
コース表示部６は、操作部５により所定の運転コースを選択すると点灯する。電源スイッチ７は、洗濯機本体の電源を入／切するものである。
【０００５】
つぎに、図６に示すように、操作パネル部１の操作表示部８の下方に制御装置９を装着し、この制御装置９に複数のスイッチ１０を設けている。このスイッチ１０は、操作表示部８の操作ボタン部１１に対応した位置に設け、この操作ボタン部１１に設けた押圧部１２により押圧されてオン、オフできるように構成している。ここで、操作ボタン部１１は、ボタン支持部１３により操作表示部８に上下動自在に支持している。
【０００６】
操作表示部８の上面に弾性を有するパネルシート３を貼着し、パネルシート３に設けた操作部４、５より、操作ボタン部１１を介してスイッチ１０を押圧できるようにしている。また、コース表示部６は、制御装置９にセットした表示ケース１４に設けた表示素子１５により構成し、図７に示すように、操作パネル部１に設けた表示窓１６にセットし、パネルシート３の表面に印刷してあるコースの表示１７に対応して表示するよう構成している。
【０００７】
上記構成において動作を説明すると、電源スイッチ７をオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が予定のコースを選択する。
【０００８】
【発明が解決しようとする課題】
このような従来の構成では、制御装置９にセットした表示ケース１４を操作パネル部１に設けた表示窓１６にセットしているため、制御装置９に設けた表示ケース１４の天面形状と操作パネル部１の天面形状が合いにくく、操作パネル部１から表示ケース１４が飛び出してしまい、その上にパネルシート３を貼着したとき、パネルシート３がでこぼこに見えたりする問題があり、視認性がよくなかった。
【０００９】
本発明は上記課題を解決するもので、パネルシートを貼り付けた後でも、パネルシートの表面がでこぼこに見えたりすることがなく、視認性を向上するとともに、金型設計や加工性を向上することを目的としている。
【００１０】
【課題を解決するための手段】
本発明は上記目的を達成するために、操作ボタン部と表示窓とを有する操作パネル部の上面をパネルシートにより覆い、操作パネル部の内方に操作ボタン部に対応した位置に設けたスイッチと表示窓に対応した位置に設けた表示素子とを有する制御装置を配し、操作パネル部に複数の表示窓より表示素子にそれぞれ対応した光拡散部を設けたものである。
【００１１】
これにより、パネルシートを貼り付けた後でも、パネルシートの表面がでこぼこに見えたりすることがなく、視認性を向上できるとともに、金型設計や加工性を向上することができる。
【００１２】
【発明の実施の形態】
本発明の請求項１に記載の発明は、操作ボタン部と表示窓とを有する操作パネル部と、この操作パネル部の上面を覆うパネルシートと、前記操作パネル部の内方に配し前記操作ボタン部に対応した位置に設けたスイッチと前記表示窓に対応した位置に設けた表示素子とを有する制御装置とを備え、前記操作パネル部に複数の表示窓より表示素子にそれぞれ対応した光拡散部を設けたものであり、操作パネル部に光拡散部を設けることで、従来のように操作パネル部から表示ケースが飛び出すことがなく、パネルシートを貼り付けた後でも、パネルシートの表面がでこぼこに見えたりすることがなく、視認性を向上できるとともに、複雑で、高い寸法精度が必要な表示ケースを使用しないため、金型設計や加工性を向上することができる。
【００１３】
請求項２に記載の発明は、上記請求項１に記載の発明において、光拡散部は、表示素子側から操作パネル部の表面側に向けて開口面積を漸次拡大したものであり、光拡散部により表示素子の光が拡散され、パネルシートの表面の文字をきれいに光らすことができ、視認性を向上することができる。
【００１４】
請求項３に記載の発明は、上記請求項１または２に記載の発明において、光拡散部は、相互に露光しない構成としたものであり、隣の表示窓に光りがもれることがなく、視認性を向上することができる。
【００１５】
請求項４に記載の発明は、上記請求項１〜３に記載の発明において、光拡散部は、操作パネル部と一体成形したものであり、従来のように、操作パネル部から表示ケースが飛び出してでこぼこに見えたりすることがなく、視認性を向上できるとともに、金型設計や加工性を向上することができる。
【００１６】
請求項５に記載の発明は、上記請求項１〜４に記載の発明において、光拡散部は、非透光材料にて形成したものであり、隣の表示窓に光りがもれにくく、視認性を向上することができる。
【００１７】
請求項６に記載の発明は、上記請求項１〜５に記載の発明において、複数の表示素子は、それぞれの位置を規制部材で規制したものであり、光拡散部と制御装置に設けた複数の表示素子との位置ずれが少なくなり、パネルシートの表面の文字をきれいに光らすことができ、視認性を向上することができる。
【００１８】
請求項７に記載の発明は、上記請求項６に記載の発明において、規制部材は、表示素子が位置する複数の穴を有する板材よりなるものであり、光拡散部と制御装置に設けた複数の表示素子との位置ずれが少なくなり、パネルシートの表面の文字をきれいに光らすことができ、視認性を向上することができる。さらに、板材のコストおよび加工を容易にすることができる。
【００１９】
【実施例】
以下、本発明の実施例について、図面を参照しながら説明する。
【００２０】
（実施例１）
図２に示すように、操作パネル部１８は、洗濯槽（図示せず）を開閉自在に覆う蓋１９を取り付けており、この操作パネル部１８にパネルシート２０を設けている。このパネルシート２０に操作部２１、２２、２３ａ〜２３ｄ、２４、２５を設けている。操作部２１は洗濯動作をスタート・一時停止するとき操作するものであり、操作部２３ａ〜２３ｄは、水量、洗濯、すすぎ、脱水の個別設定を選択するとき操作するもので、表示部２４ａ〜２４ｄは、操作部２３ａ〜２３ｅに連動して時間等を表示する。
【００２１】
操作部２２は、おまかせ、我が家流、ゴシゴシ、ナイト、毛布など所定の運転コースを選択するとき操作するもので、運転コースに連動して表示部２６に表示する。操作部２４は電源入りスイッチを構成し、洗濯機本体の電源を入れるもので、操作部２５は電源切りスイッチを構成し、洗濯機本体の電源を切るものである。
【００２２】
操作パネル部１８に、図３に示すように、操作表示部２７を設けており、この操作表示部２７の操作部２２、２３ａ〜２３ｅ、２４、２５に対応した位置に操作ボタン部２８を操作表示部２７に対して上下動自在に設けている。すなわち、操作パネル部１８はポリプロピレン樹脂により形成し、図１に示すように、操作表示部２７と操作ボタン部２８との間に薄肉部２９を設けて操作ボタン部２８を上下動自在としている。
【００２３】
操作パネル部１８の操作表示部２７の下方に制御装置３０を装着し、この制御装置３０に複数のスイッチ３１を設けている。このスイッチ３１は、操作ボタン部２８を介して操作するようにしている。また、制御装置３０に複数の表示素子３２を設け、操作パネル部１８に設けた表示窓３３より表示素子３２にそれぞれ対応した光拡散部３４を設けている。
【００２４】
ここで、光拡散部３４は、操作パネル部１８と一体成形し、表示素子３２側から操作パネル部１８の表面側に向けて開口面積を漸次拡大している。また、光拡散部３４は、非透光材料にて形成し、相互に露光しない構成としている。
【００２５】
なお、表示窓３３は、図３に示すように、表示部２４ａ〜２４ｄに対応する表示窓３３ａ〜３３ｄと、表示部２６に対応する表示窓３５ａ〜３５ｅとを有している。表示窓３５ａ〜３５ｅは、操作部２２により選択した運転コースに対応して点灯した表示素子３２の光を表示部２６に伝えるものである。また、パネルシート２０は弾性を有し、操作表示部２７の上面に貼着している。
【００２６】
上記構成において動作を説明すると、電源入りスイッチを構成する操作部２４をオンし、操作部２２を押圧すると、操作ボタン部２８が薄肉部２９を支点としてたわみ、スイッチ３１をオンすることができて、所定の運転コースを選択することができる。ついで、操作部２１を押圧すると、同様にして、操作ボタン部２８を介してスイッチ３１をオンすることができて運転を開始する。
【００２７】
このとき、操作パネル部１８の内方に配した制御装置３０には、複数の表示素子３２を設けており、操作パネル部１８に設けた表示窓３３ａ〜３３ｄより表示素子３２にそれぞれ対応した光拡散部３４を設けることにより、制御装置３０に表示素子３２の光を拡散する拡散ケースを設けることなく構成できる。
【００２８】
これにより、拡散ケースの必要がなく、金型設計および金型作成日程が短縮でき、さらに、制御装置３０と表示素子３２の組立ばらつきにより、パネルシート２０を貼り付けた後、操作パネル部１８の表面がでこぼこすることがなく、視認性が向上する。
【００２９】
また、光拡散部３４は、表示素子３２側から操作パネル部１８の表面側に向けて開口面積を漸次拡大しているので、表示素子３２の光は拡散され、パネルシート２０の表面の文字をきれいに光らすことができ、視認性を向上することができる。
【００３０】
また、光拡散部３４は、相互に露光しないように、表示窓に遮蔽構成にすることにより、隣の表示窓に光りがもれることがなく、視認性を向上することができる。
【００３１】
また、光拡散部３４は、操作パネル部１８と一体成形することにより、従来のように、操作パネル部１８から表示ケースが飛び出して、でこぼこに見えたりすることがなく、視認性を向上できるとともに、表示ケースが必要でないことから金型設計や加工性を向上することができる。
【００３２】
また、光拡散部３４は、非透光材料にて形成することにより、隣の表示窓に光りがもれにくく、視認性を向上することができる。
【００３３】
（実施例２）
図４に示すように、表示素子３２は、制御装置３０ａに固定し、表示素子３２が位置する複数の穴を有する板材よりなる規制部材３６によりそれぞれの位置を規制するよう構成している。他の構成は上記実施例１と同じであり、同一符号を付して説明を省略する。
【００３４】
上記構成において動作を説明する。光拡散部３４は発光源の表示素子３２から操作パネル部１８の表面側に向けて開口面積を漸次拡大させているため、表示素子３２の光は拡散されている。この表示素子３２を光拡散部３４の中心に位置するように、規制部材３６を設けることにより、パネルシート２０の表面からの文字をきれいに光らすことができ、視認性を向上することができる。
【００３５】
また、おまかせ、我が家流、ゴシゴシ、ナイト、毛布など所定の運転コースを表示する表示窓３５ａ〜３５ｅについても、同様に、発光源の表示素子３２からパネル部１８表面側に向けて開口面積が漸次拡大させることで、表示素子３２の光を拡散することができ、表示素子３２を表示窓３５ａ〜３５ｅの中心に位置するように、規制部材３６を設けることにより、表示部２６の表面からの文字をきれいに光らすことができ、視認性を向上することができる。
【００３６】
また、規制部材３６は、表示素子３２が位置する複数の穴を有する板材で構成することにより、光拡散部３４と制御装置３０に設けた複数の表示素子３２との位置ずれが少なくなり、パネルシート２０の表面の文字をきれいに光らすことができ、視認性を向上することができる。さらに、板材のコストおよび加工を容易にすることができる。
【００３７】
なお、上記各実施例では、洗濯機について説明したが、衣類乾燥機、食器洗い機などについても、同様に構成することができる。
【００３８】
【発明の効果】
以上のように、本発明の請求項１に記載の発明によれば、操作ボタン部と表示窓とを有する操作パネル部に、複数の表示窓より表示素子にそれぞれ対応した光拡散部を設けているので、パネルシートを貼り付けた後でも、パネルシートの表面がでこぼこに見えたりすることがなく、視認性を向上できるとともに、金型設計や加工性を向上することができる。
【図面の簡単な説明】
【図１】本発明の第１の実施例の洗濯機等の操作表示装置の断面図
【図２】同洗濯機等の操作表示装置を備えた洗濯機の要部上面図
【図３】同洗濯機等の操作表示装置の分解斜視図
【図４】本発明の第２の実施例の洗濯機等の操作表示装置の断面図
【図５】従来の洗濯機等の操作ボタン装置を備えた洗濯機の要部上面図
【図６】同洗濯機等の操作表示装置の分解斜視図
【図７】同洗濯機等の操作表示装置の断面図
【符号の説明】
１８　操作パネル部
２０　パネルシート
２８　操作ボタン部
３０　制御装置
３１　スイッチ
３２　表示素子
３３　表示窓
３４　光拡散部
【図１】
2004073706.tif 000003
【図２】
2004073706.tif 000004
【図３】
2004073706.tif 000005
【図４】
2004073706.tif 000006
【図５】
2004073706.tif 000007
【図６】
2004073706.tif 000008
【図７】
2004073706.tif 000009